(57)【要約】【課題】  レーザー光放射手段とこのレーザー光放射手段を支える基台との位置関係を調節することを容易にするレーザー光放射装置を提供すること。【解決手段】  平面状レーザー光を放射するレーザー光放射手段２０およびこの放射手段２０を支える基台部３０を備えたレーザー光放射装置１０において、基台部３０に第１支持部３２および第２支持部３３が形成され、第１支持部３２と第２支持部３３との間に移動部材４１が配設され、第１支持部３２に平面状レーザー光２２に直交する方向のネジ孔が形成され、前記ネジ孔に螺合する調整ネジ４２が配設され、調整ネジ４２の先端部４２ａが移動部材４１を押圧可能であり、第２支持部３３に移動部材４１を調整ネジ４２の方向に付勢する付勢手段４３が配設され、レーザー光放射手段２０が移動部材４１に取り付けられ、調整ネジ４２の回転により移動した移動部材４１をネジ部材４１ｄにより基台部３０に固定する。【選択図】        図３
2006010558.tif 000002
【特許請求の範囲】
【請求項１】
平面状レーザー光を放射するレーザー光放射手段およびこのレーザー光放射手段を支える基台部を備えたレーザー光放射装置において、
前記基台部に第１支持部および第２支持部が形成され、
前記第１支持部と前記第２支持部との間に移動部材が配設され、
前記第１支持部に前記平面状レーザー光に直交する方向のネジ孔が形成され、
前記ネジ孔に螺合する調整ネジが配設され、この調整ネジの先端部が前記移動部材を押圧可能であり、
前記第２支持部に前記移動部材を前記調整ネジの方向に付勢する付勢手段が配設され、
前記レーザー光放射手段が前記移動部材に取り付けられ、
前記調整ネジの回転により移動した移動部材を前記基台部に固定する固定手段が設けられていることを特徴とするレーザー光放射装置。
【請求項２】
請求項１に記載したレーザー光放射装置であって、
前記付勢手段が前記第２支持部の前記平面状レーザー光に直交する方向の孔に配設されたコイルバネおよびこのコイルバネにより付勢されて前記移動部材を付勢する付勢部材であることを特徴とするレーザー光放射装置。
【請求項３】
請求項１または２に記載したレーザー光放射装置であって、
前記移動部材が前記基台部の前記平面状レーザー光に直交する方向の表面に沿って摺動可能であり、前記移動部材の前記移動方向に垂直な方向の孔が前記移動部材に形成され、
前記固定手段が前記移動部材の前記移動方向に垂直な方向の孔を挿通して前記基台部の表面のネジ孔に螺合するネジ部材であることを特徴とするレーザー光放射装置。
【発明の詳細な説明】
【技術分野】
【０００１】
本発明は、墨出し等に使用されるレーザー光放射装置に関し、特にレーザー光放射位置の調節が容易なレーザー光放射装置に関するものである。
【背景技術】
【０００２】
従来の墨出し用レーザー光放射装置は、鉛直面状にレーザー光を放射するレーザー光放射手段をその基台にネジ等によって固定したものである（例えば特許文献１）。そして、レーザー光放射装置は、その基台を基準の位置に配置し、この基準の位置から鉛直面状レーザー光を放射して測定対象となる建築部材等の位置を決めるために使用されている。
【特許文献１】特許第３５２２６９７号公報
【発明の開示】
【発明が解決しようとする課題】
【０００３】
しかし、上述の従来例では、レーザー光放射手段は基台にネジ等で固定されているので、レーザー光放射手段と基台との位置関係を調節することできなかった。このため、製造誤差等によりレーザー光放射手段と基台との位置がずれた場合のこのずれを修正してレーザー光放射手段と基台との位置関係を正常なものにすることが困難であった。
本発明はこのような点に鑑みてなされたものであり、その課題は、レーザー光放射手段とこのレーザー光放射手段を支える基台との位置関係を調節することを容易にするレーザー光放射装置を提供することである。
【課題を解決するための手段】
【０００４】
上記課題を解決するため、請求項１記載の発明は、平面状（例えば鉛直面状、水平面状等）レーザー光を放射するレーザー光放射手段およびこのレーザー光放射手段を支える基台部を備えたレーザー光放射装置において、前記基台部に第１支持部および第２支持部が形成され、前記第１支持部と前記第２支持部との間に移動部材が配設され、前記第１支持部に前記平面状レーザー光に直交する方向のネジ孔が形成され、前記ネジ孔に螺合する調整ネジが配設され、この調整ネジの先端部が前記移動部材を押圧可能であり、前記第２支持部に前記移動部材を前記調整ネジの方向に付勢する付勢手段が配設され、前記レーザー光放射手段が前記移動部材に取り付けられ、前記調整ネジの回転により移動した移動部材を前記基台部に固定する固定手段が設けられていることを特徴とするレーザー光放射装置である。
これにより、平面状レーザー光を放射するレーザー光放射手段およびこのレーザー光放射手段を支える基台部を備えたレーザー光放射装置において、前記基台部に形成された第１支持部および第２支持部の間に移動部材が配設され、前記第１支持部に形成された前記平面状レーザー光に直交する方向のネジ孔に螺合する調整ネジの先端部が前記移動部材を押圧し、前記第２支持部に配設された付勢手段が前記移動部材を前記調整ネジの方向に付勢し、前記レーザー光放射手段が前記移動部材に取り付けられているので、前記調整ネジを回転させることにより、前記移動部材および前記レーザー光放射手段の基台部に対する前記平面状レーザー光に直交する方向の位置関係を調整することができる。
そして、固定手段が調整済みの移動部材を前記基台部に固定するので、調整済みの前記レーザー光放射手段の位置を基台部に対して固定することができる。
【０００５】
さらに、請求項２記載の発明は、請求項１に記載した発明において、前記付勢手段が前記第２支持部の前記平面状レーザー光に直交する方向の孔に配設されたコイルバネおよびこのコイルバネにより付勢されて前記移動部材を付勢する付勢部材であることである。
これにより、前記付勢手段の前記第２支持部の前記平面状レーザー光に直交する方向の孔に配設されたコイルバネにより付勢された付勢部材が前記移動部材を付勢するので、前記移動部材を付勢することが容易になる。
【０００６】
さらに、請求項３記載の発明は、請求項１または２に記載した発明において、前記移動部材が前記基台部の前記平面状レーザー光に直交する方向の表面（例えば側面）に沿って摺動可能であり、前記移動部材の前記移動方向に垂直な方向の孔が前記移動部材に形成され、前記固定手段が前記移動部材の前記移動方向に垂直な方向の孔を挿通して前記基台部の表面のネジ孔に螺合するネジ部材であることである。
これにより、前記移動部材が前記基台部の前記平面状レーザー光に直交する方向の表面に沿って摺動し、前記固定手段としてのネジ部材が前記移動部材の前記移動方向に垂直な方向の孔を挿通して前記基台部の表面のネジ孔に螺合するので、前記移動部材を前記基台部の表面に固定することが容易になる。
【発明の効果】
【０００７】
請求項１記載の発明によれば、レーザー光放射装置のレーザー光放射手段の基台部に対する前記平面状レーザー光に直交する方向の位置関係を調整して固定することが容易になる。
さらに、請求項２記載の発明によれば、請求項１記載の発明の効果とともに、レーザー光放射装置において、レーザー光放射手段が固定された移動部材を付勢手段により付勢することが容易になる。
さらに、請求項３記載の発明によれば、請求項１または２記載の発明の効果とともに、
レーザー光放射装置において、レーザー光放射手段が固定された移動部材を基台部の表面に固定することが容易になる。
【発明を実施するための最良の形態】
【０００８】
以下、本発明における実施の形態を図面に基づいて説明する。
図１は、本発明の実施の形態に係るレーザー光放射装置を示し、図２は図１のレーザー光放射装置の平面を示し、図３は図１のレーザー光放射装置の正面を示し、図４（ａ）は図３のＡ―Ａ断面を示し、図４（ｂ）、（ｃ）は図４（ａ）の状態から移動部材が移動した状態を示す。図５および図６は図１のレーザー光放射装置を分解した各部分を示している。
【０００９】
図１に示すように、レーザー光放射装置１０は、平面状（例えば鉛直面状）レーザー光２２を放射するレーザー光放射手段２０、２０ｘおよびこのレーザー光放射手段２０、２０ｘを支える基台部３０を備えている。なお、平面状レーザー光２２はレーザー光放射手段２０のレーザー光放射窓２１から上下方向の角度αの範囲の鉛直面状に放射される。また、レーザー光放射手段２０とレーザー光放射手段２０ｘの構造は同じであり、それらのレーザー光放射方向が互いに直角方向である。それゆえ、以下においてレーザー光放射手段２０についてのみ説明し、レーザー光放射手段２０ｘの説明を省略する。
【００１０】
図３に示すように、基台部３０は平板状の基台本体３１および基台本体３１に取り付けられた支柱３４からなる。
図４（ａ）に示すように、基台本体３１の側面３１ａに第１支持部３２および第２支持部３３が形成され、第１支持部３２と第２支持部３３との間に移動部材４１が配設されている。第１支持部３２に平面状レーザー光２２（図２参照）に直交する方向（矢印２２ａの方向）のネジ孔３２ａが形成され、ネジ孔３２ａに螺合する調整ネジ４２が配設され、この調整ネジ４２の先端部４２ａが移動部材４１の傾斜面４１ｂ（調整ネジ４２側の傾斜面）を押圧可能である。
さらに、第２支持部３３に移動部材４１を調整ネジ４２の方向に付勢する付勢手段４３が配設されている。この付勢手段４３は、第２支持部３３の平面状レーザー光２２に直交する方向の孔３３ａに配設されたコイルバネ４３ａおよびこのコイルバネ４３ａにより付勢されて移動部材４１の傾斜面４１ｃ（付勢手段４３側の傾斜面）を付勢する棒状の付勢部材４３ｂを備えている。なお、コイルバネ４３ａの図示右端部（移動部材４１と反対側の端部）は板状のバネ止め４３ｃで押さえられている。このバネ止め４３ｃの折れ曲がった両端部は図１に示すように、第２支持部３３の上側の溝３３ｂと下側の溝３３ｃに係合するように取り付けられている。
なお、図５に示すように、基台本体３１の中心部分に縦孔３１ｃが形成され、この縦孔３１ｃに支柱３４（図１参照）が固定されている。この支柱３４の上端部に、図２に示すように、フランジ部３４ｂが形成され、このフランジ部３４ｂが縦孔３１ｃ（図５参照）の上端の径大部３１ｄにネジ部材３４ｃで取り付けられている。
なお、図６に示すように、移動手段４１の各長孔４１ｆ（移動手段４１の移動方向に長い孔）にはネジ部材４１ｇ（ワッシャ４１ｈを介している。）が差し込まれ、このネジ部材４１ｇにより移動部材４１は基台本体３１の上面のネジ孔に固定される。
【００１１】
さらに、レーザー光放射手段２０がブラケット４４により移動部材４１に取り付けられている。具体的には、図６に示すように、ブラケット４４は、その長孔４４ｅを挿通するネジ部材４４ａ（ワッシャ４４ｂを介している。）により移動手段４１の前面のネジ孔４１ｉに固定されている。そして、レーザー光放射手段２０はネジ部材４４ｃ（ワッシャ４４ｄを介している。）により固定手段４４の上端部のネジ孔４４ｆに固定されている。
【００１２】
また、調整ネジ４２の回転により移動した移動部材４１を基台本体３１に固定する固定手段となるネジ部材４１ｄが設けられている。具体的には、移動部材４１が基台本体３１の平面状レーザー光２２に直交する方向の側面３１ａに沿って摺動可能であり、この移動部材４１の移動方向に垂直な方向の貫通孔４１ａが移動部材４１に形成され、ネジ部材４１ｄ（ワッシャ４１ｅを介している。）が移動部材４１の前記移動方向に垂直な方向の貫通孔４１ａを挿通して基台本体３１の側面３１ａのネジ孔３１ｂに螺合している。
【００１３】
以上の構成のレーザー光放射装置１０は、以下の動作をする。
基台部３０に形成された第１支持部３２および第２支持部３３の間に移動部材４１が配設され、第１支持部３２に形成された平面状レーザー光２２に直交する方向のネジ孔３２ａに螺合する調整ネジ４２の先端部４２ａが移動部材４１を押圧し、第２支持部３３に配設された付勢手段４３が移動部材４１を調整ネジ４２の方向に付勢し、レーザー光放射手段２０が移動部材４１に取り付けられているので、調整ネジ４２を回転させることにより、移動部材４１およびレーザー光放射手段２０の基台部３０の基台本体３１に対する平面状レーザー光２２に直交する方向の位置関係を調整することができる。この場合、平面状レーザー光２２の放射方向の延長線上に基台部３０の支柱３４の中心３４ａ（図２参照）が位置するように調節する。
なお、図４（ｂ）では、調整ネジ４２を緩めることにより、付勢手段４３の付勢力によって移動部材４１を図示左方向（矢印４２ｂの方向）に移動させた状態が示されている。また、図４（ｃ）では、付勢手段４３の付勢力に抗して調整ネジ４２を締めることにより移動部材４１を図示右方向（矢印４２ｃの方向）に移動させた状態が示されている。
【００１４】
さらに、付勢手段４３の第２支持部３３の平面状レーザー光２に直交する方向の孔３３ａに配設されたコイルバネ４３ａにより付勢された付勢部材４３ｂが移動部材４１を付勢するので、移動部材４１を調整ネジ４２の方向に付勢することが容易になる。
【００１５】
さらに、移動部材４１が基台本体３１の平面状レーザー光２２に直交する方向の側面３１ａに沿って摺動し、ネジ部材４１ｄが移動部材４１の前記移動方向に垂直な方向の貫通孔４１ａを挿通して基台本体３１の側面３１ａのネジ孔３１ｂに螺合するので、ネジ部材４１ｄにより移動部材４１を基台本体３１の側面３１ａに固定することが容易になる。
このようにして、図２の中心３４ａの位置を通る鉛直面状のレーザー光２２を放射することができるので、レーザー光放射装置１０を墨出し装置として使用することが容易になる。
【００１６】
なお、上記実施の形態において、平面状レーザー光２２は鉛直面状であるが、これに限定されず、平面状レーザー光２２を平面状にし、移動部材４１の移動方向を平面状レーザー光２２に垂直な鉛直方向に設定することもできる。
また、２つのレーザー光放射手段２０、２０ｘが示されているが、これに限定されず、基台部３０に２つのレーザー光放射手段２０、２０ｘを含む４つのレーザー光放射手段（レーザー光放射手段２０、２０ｘと同様のもの）を取り付け、この４つのレーザー光放射手段により中心３４ａで交差する互いに直角方向の４方向に平面状レーザー光を放射するようにしてもよい。また、上記４つのレーザー光放射手段のうちいずれか１つを省いて３つのレーザー光放射手段を基台部３０に取り付けるようにしてもよい。
また、基台部３０の形状は図示されたものに限定されず、レーザー光放射手段２０、２０ｘ等を支えることができるのであればよい。
【図面の簡単な説明】
【００１７】
【図１】本発明の実施の形態に係るレーザー光放射装置を示す斜視図である。
【図２】図１のレーザー光放射装置の平面図である。
【図３】図１のレーザー光放射装置の正面図である。
【図４】（ａ）は図３のＡ―Ａ断面を示す断面図であり、（ｂ）（ｃ）は（ａ）の状態から移動部材が移動した状態を示す断面図である。
【図５】図１のレーザー光放射装置の分解図である。
【図６】図１のレーザー光放射装置の分解図である。
【符号の説明】
【００１８】
１０  レーザー光放射装置
２０  レーザー光放射手段
２２  平面状レーザー光
２２ａ  矢印
３０  基台部
３１  基台本体
３１ａ  側面（表面）
３１ｂ  ネジ孔
３２  第１支持部
３２ａ  ネジ孔
３３  第２支持部
３３ａ  孔
４１  移動部材
４１ａ  貫通孔
４１ｄ  ネジ部材（固定手段）
４２  調整ネジ
４２ａ  先端部
４３  付勢手段
４３ａ  コイルバネ
４３ｂ  付勢部材
【図１】
2006010558.tif 000003
【図２】
2006010558.tif 000004
【図３】
2006010558.tif 000005
【図４】
2006010558.tif 000006
【図５】
2006010558.tif 000007
【図６】
2006010558.tif 000008